(57)【特許請求の範囲】
【請求項１】
デジタルオーディオ放送用の受信部とＦＭ放送用の受信部とオーディオ信号の増幅度を補正する増幅度補正手段とを備えたオーディオ放送受信装置において、デジタルオーディオ放送の各送信機に係る識別子と、該識別子と対応する補正係数とからなる対応データを予めメモリに格納しておき、且つ受信中のデジタルオーディオ放送の送信機に係る第１の識別子をメモリに格納して、受信する放送がデジタルオーディオ放送から該ディジタルオーディオ放送と同一内容を放送しているＦＭ放送に切り替えられた時に、前記増幅度補正手段は、前記第１の識別子に対応する補正係数を前記対応データより検出し該補正係数に応じてＦＭオーディオ信号の増幅度を補正して、デジタルオーディオ放送とＦＭ放送との音響出力のレベル差を小さくしたことを特徴とするオーディオ放送受信装置。
【請求項２】
デジタルオーディオ放送用の受信部とＦＭ放送用の受信部とオーディオ信号の増幅度を補正する増幅度補正手段とを備えたオーディオ放送受信装置において、デジタルオーディオ放送の各送信機に係る位置情報と、該位置情報と対応する補正係数とからなる対応データを予めメモリに格納しておき、且つ受信中のデジタルオーディオ放送の送信機に係る第１の位置情報をメモリに格納して、受信する放送がデジタルオーディオ放送から該ディジタルオーディオ放送と同一内容を放送しているＦＭ放送に切り替えられた時に、前記増幅度補正手段は、前記第１の位置情報に対応する補正係数を前記対応データより検出し該補正係数に応じてＦＭオーディオ信号の増幅度を補正して、デジタルオーディオ放送とＦＭ放送との音響出力のレベル差を小さくしたことを特徴とするオーディオ放送受信装置。
【請求項３】
デジタルオーディオ放送で送信される送信機識別信号（ＴＩＩ信号）から受信中のデジタルオーディオ放送の送信機識別子を得、デジタルオーディオ放送で送信される、各送信機識別子と該送信機識別子を有する送信機の場所又は地域とを示す送信場所情報から前記第１の位置情報を得ることを特徴とする請求項２記載のオーディオ放送受信装置。
【請求項４】
デジタルオーディオ放送用の受信部とＦＭ放送用の受信部とを備えたオーディオ放送受信装置の音量補正方法において、
デジタルオーディオ放送の各送信機に係る識別子と、該識別子と対応する補正係数とからなる対応データを予めメモリに格納しておき、且つ受信中のデジタルオーディオ放送の送信機に係る第１の識別子をメモリに格納して、受信する放送がデジタルオーディオ放送から該ディジタルオーディオ放送と同一内容を放送しているＦＭ放送に切り替えられた時に、前記第１の識別子に対応する補正係数を前記対応データより検出し該補正係数に応じてＦＭオーディオ信号の増幅度を補正して、デジタルオーディオ放送とＦＭ放送との音響出力のレベル差を小さくしたことを特徴とするオーディオ放送受信装置の音量補正方法。
【請求項５】
デジタルオーディオ放送用の受信部とＦＭ放送用の受信部とを備えたオーディオ放送受信装置の音量補正方法において、
デジタルオーディオ放送の各送信機に係る位置情報と、該位置情報と対応する補正係数とからなる対応データを予めメモリに格納しておき、且つ受信中のデジタルオーディオ放送の送信機に係る第１の位置情報をメモリに格納して、受信する放送がデジタルオーディオ放送から該ディジタルオーディオ放送と同一内容を放送しているＦＭ放送に切り替えられた時に、前記第１の位置情報に対応する補正係数を前記対応データより検出し該補正係数に応じてＦＭオーディオ信号の増幅度を補正して、デジタルオーディオ放送とＦＭ放送との音響出力のレベル差を小さくしたことを特徴とするオーディオ放送受信装置の音量補正方法。
【請求項６】
デジタルオーディオ放送で送信される送信機識別信号（ＴＩＩ信号）から受信中のデジタルオーディオ放送の送信機識別子を得、デジタルオーディオ放送で送信される、各送信機識別子と該送信機識別子を有する送信機の場所又は地域とを示す送信場所情報から前記第１の位置情報を得ることを特徴とする請求項５記載のオーディオ放送受信装置の音量補正方法。
【発明の詳細な説明】
【０００１】
【発明の属する技術分野】
本発明は、例えばＤＡＢ（Ｄｉｇｉｔａｌ  Ａｕｄｉｏ  Ｂｒｏａｄｃａｓｔｉｎｇ）の如きディジタルオーディオ放送、及び、ＲＤＳ（Ｒａｄｉｏ  Ｄａｔａ  Ｓｙｓｔｅｍ）データを含むＦＭ放送を受信可能なオーディオ放送受信装置及びその音量補正方法に係り、特に、ディジタルオーディオ放送からＦＭ放送へ切り替えて同一番組を受信する時の音量変化を抑圧したオーディオ放送受信装置及びその音量補正方法に関する。
【０００２】
【従来の技術】
ディジタルオーディオ放送では、オーディオ情報信号や画像情報信号、文字情報信号などが所定のフォーマットで圧縮され、複数のサービスに対応できるように複数チャンネルの情報信号がデータ信号として多重化されて送信される。ディジタルオーディオを含む前記所定フォーマットのデータ信号を送受信するシステムとして、例えば欧州規格（Ｅｕｒｅｋａ  １４７）に準拠したＤＡＢシステムが実用化されている。
【０００３】
そして、ディジタルオーディオ放送とＦＭ放送とが、互いにリンキング情報を送信して同一の番組を放送するサイマルキャストシステムの一つとして、同一のラジオ番組がディジタルオーディオ放送としてのＤＡＢ及びＲＤＳデータを含むＦＭ放送の両放送形式で同時放送される場合がある。
ＤＡＢシステムは特に移動体放送システムとして優れた特徴を有するが、ＤＡＢ電波のカバー領域は、ＦＭ放送のそれよりも小さいのが通常である。
【０００４】
このため、特に自動車に搭載されたＤＡＢとＦＭ放送の共用オーディオ放送受信装置では、自動車の移動に伴い放送電波の電界強度等の受信状態が変化することを考慮してサイマルキャストを受信可能としている場合には、ＤＡＢを優先的に受信し、ＤＡＢの受信状態が悪化すると、ＤＡＢからＦＭ放送への切替が行われて、同一ラジオ番組のＦＭ放送が出力されるようにされている。
サイマルキャストが行われているか否かは、ＤＡＢの放送信号でも、ＦＭの放送信号でもリンキング情報として提供される。また、ＤＡＢとＦＭ放送の夫々における受信状態は、夫々の放送波の電界強度や、ＤＡＢにおける符号誤り率や、夫々におけるノイズレベルなどによって判断され、ＤＡＢの受信状態が悪化したときには、ＲＤＳの受信状態を確認し、いずれか受信状態が良い方に切り替えることも出来る。
【０００５】
前記ＤＡＢシステムでは、１つのアンサンブルが複数のサービスで構成され、該各サービスは複数のコンポーネントで構成される。その詳細については前記ＤＡＢの規格書に記載されているので説明を省略する。
図６はＤＡＢシステムにおける伝送フレームの構成を示す図である。送信されてくるＤＡＢ信号は直交周波数分割多重変調方式即ちＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）で変調されたＯＦＤＭ信号として送信され、図６に示す伝送フレーム（Ｔｒａｎｓｍｉｓｓｉｏｎ    ｆｒａｍｅ）は、前記ＯＦＤＭ信号を復調した復調ＯＦＤＭ信号から得られる。
図６に示すように、復調ＯＦＤＭ信号における伝送フレームは、同期チャネル（Ｓｙｎｃｈｒｏｎｉｚａｔｉｏｎ  Ｃｈａｎｎｅｌ）、ＦＩＣ（Ｆａｓｔ  Ｉｎｆｏｒｍａｔｉｏｎ  Ｃｈａｎｎｅｌ：高速情報チャネル）、ＭＳＣ（Ｍａｉｎ  Ｓｅｒｖｉｃｅ  Ｃｈａｎｎｅｌ：メインサービスチャネル）のブロックで構成される。前記ＦＩＣは受信装置が番組を選局するのに必要な情報や番組に対する補助情報などを伝送し、前記ＭＳＣはディジタルオーディオやデータのサブチャンネル（Ｓｕｂ  Ｃｈａｎｎｅｌ）を伝送する。
【０００６】
１フレーム分の前記ＦＩＣは３つのＦＩＢ（Ｆａｓｔ  Ｉｎｆｏｒｍａｔｉｏｎ  Ｂｌｏｃｋ）と呼ばれるデータブロックからなり、ＭＳＣは伝送モードにより異なるが１乃至４のＣＩＦ（Ｃｏｍｍｏｎ  Ｉｎｔｅｒｌｅａｖｅｄ  Ｆｒａｍｅ）と呼ばれるデータブロックにより構成され、ＣＩＦ単位でタイムインターリーブがかけられている。前記ＣＩＦには複数のサブチャンネルが多重化されており、１つのサブチャンネルは一つの番組に相当する。従って、ユーザは一つの番組を受信しようとするときには、前記ＣＩＦから特定のサブチャンネルを選択して選局する。
ＤＡＢシステムでは、あるアンサンブルが受信されれば、そのアンサンブルに含まれる複数のサービス、コンポーネントに関する情報を得ることができ、受信周波数を変更することなく異なるサービス、コンポーネントへ瞬時に切り換えることが可能とされている。
【０００７】
前記伝送フレームの先頭には同期チャネルブロックが設けられている。この同期チャネルブロックには、その先頭に粗同期用のＮＵＬＬシンボルが配置され、続いてＯＦＤＭ復調（例えば差分ＱＰＳＫ復調）のための基準位相を担う位相参照シンボル（以下、ＰＲＳとも記す）が配置されている。
操作者がサーチ操作を行う場合には、前記ＮＵＬＬシンボルが検出されたときにサーチが終了したと見なされる。前記ＰＲＳの後ろには複数のＦＩＢが配置される。前記各ＦＩＢは複数のＦＩＧで構成される。
【０００８】
【発明が解決しようとする課題】
サイマルキャストで行われている放送をＤＡＢ受信装置で受信しているときに、受信状態が悪化すると、ＦＭ受信装置でＦＭ放送を受信するように自動的に切り替えられる。しかし、ＦＭ放送の変調度は放送局ごとに異なっている場合があるために、受信する放送がＤＡＢから同一番組のＦＭ放送へ切り替えられたときに、音量が変化することがある。前記音量の変化を補正する方法として、ＤＡＢの受信信号からＤＡＢ放送局がある国名を特定し、該国名に応じてＦＭ放送の音響出力レベルを補正する方法が提案されている。
【０００９】
図７は従来例オーディオ放送受信装置における受信放送切り換え手順の一例を示すフローチャート図である。図７に示すようように、ステップＳ７１でＤＡＢ放送の受信が行われ、ステップＳ７３では、ＦＭ放送の出力音響レベルを補正するソフトが本オーディオ放送受信装置にあるか？、と問われ、Ｙｅｓの場合はステップＳ７５へ進み、Ｎｏの場合はステップＳ８９へ進む。ステップＳ７５では、ＤＡＢ放送の放送国（送信国）が受信信号から検出できたか？、と問われ、Ｙｅｓの場合はステップＳ７７へ進み、Ｎｏの場合はステップＳ８３へ進む。
【００１０】
ステップＳ７７では、ＤＡＢ放送の受信状態が悪化したか？、と問われ、Ｙｅｓの場合はステップＳ７９へ進み、Ｎｏの場合はステップＳ７７へ戻る。ステップＳ７９では、ＲＤＳリンク情報があるか？、と問われ、同一内容のＦＭ放送がある場合はＹｅｓでステップＳ８１へ進み、Ｎｏの場合はステップＳ９３へ進む。ステップＳ８１では、ＤＡＢの受信信号から検出した放送国識別子に応じて、オーディオ増幅器の増幅度を補正し、同一番組のＦＭ放送を受信する。そして本フローを終了する。このケースを（Ａ）のケースとする。
【００１１】
前記ステップＳ７５における送信国の検出は次のように行われる。即ち、ＤＡＢ伝送フレームの高速情報チャンネル（ＦＩＣ：Ｆａｓｔ  Ｉｎｆｏｒｍａｔｉｏｎ  Ｃｈａｎｎｅｌ）で伝送される高速情報グループ（ＦＩＧ：Ｆａｓｔ  Ｉｎｆｏｒｍａｔｉｏｎ  Ｇｒｏｕｐ）のデータで、その放送局の国識別子（Ｃｏｕｎｔｒｙ  Ｉｄ）が提供されており、その放送の国名が分かる。具体的にはＦＩＧのうちのｔｙｐｅ０、ｅｘｔｅｎｔｉｏｎ２（以下、ＦＩＧ０／２のようにも記す。）のデータが使用される。また、前記ステップＳ７９におけるサイマルキャストリンク情報の有無は、ＦＩＧ０／２１とＦＩＧ０／２７とＦＩＧ０／２８で提供されるデータから判断される。
【００１２】
ステップＳ８３では、ＤＡＢ放送の受信状態が悪化したか？、と問われ、Ｙｅｓの場合はステップＳ８５へ進み、Ｎｏの場合はステップＳ７５へ戻る。ステップＳ８５では、ＲＤＳリンク情報があるか？、と問われ、同一内容のＦＭ放送がある場合はＹｅｓでステップＳ８７へ進み、Ｎｏの場合はステップＳ９３へ進む。ステップＳ８７では同一番組のＦＭ放送を受信し本フローを終了する。このケースを（Ｂ）のケースとする。
【００１３】
ステップＳ８９では、ＤＡＢ放送の受信状態が悪化したか？、と問われ、Ｙｅｓの場合はステップＳ９１へ進み、Ｎｏの場合はステップＳ８９へ戻る。ステップＳ９１では、ＲＤＳリンク情報があるか？、と問われ、同一内容のＦＭ放送がある場合はＹｅｓでステップＳ８７へ進み、Ｎｏの場合はステップＳ９３へ進む。ステップＳ９３では、受信不可能、と表示手段で表示し、ＤＡＢ受信待機状態として音響出力を停止し、本フローを終了する。このケースを（Ｃ）のケースとする。
【００１４】
前記ステップＳ８１、ステップＳ８７、ステップＳ９３の後で、ＤＡＢ受信状況が改善したかを適当な時間間隔で調べ、改善されていればＤＡＢの受信に切り替えるが、このステップは図示が省略されている。
前記した（Ｂ）のケースでは、ＦＭ放送受信時に送信国ごとにオーディオ増幅器の増幅度が補正されることはないが、前記した（Ａ）のケースでは、ＦＭ放送受信時に送信国ごとに増幅器の増幅度を補正して音響が出力されるから、ＤＡＢとＦＭ放送とで出力音響のレベル差がなくなるとされている。
【００１５】
しかしながら、前記国識別子（Ｃｏｕｎｔｒｙ  Ｉｄ）は、隣接する国では異なる識別子が割り当てられるものの、遠く離れた２つの国に対して同一の国識別子が割り当てられることがあり、この場合には受信信号から国識別子を正常に受信できたとしても、その国識別子に基づいて、ＦＭ放送受信時の音響レベルの補正を正しく行うことが不可能となる。
本発明は、前記問題点に鑑みてなされたものであり、その目的は、同一番組をディジタルオーディオ放送からＦＭ放送へ切り替えて受信する時の音量変化を抑圧したオーディオ放送受信装置及びその音量補正方法を提供することである。
【００１６】
【課題を解決するための手段】
本発明は上記課題を解決するために次のような構成でなされたものである。
第１の発明は、デジタルオーディオ放送用の受信部とＦＭ放送用の受信部とオーディオ信号の増幅度を補正する増幅度補正手段とを備えたオーディオ放送受信装置において、デジタルオーディオ放送の各送信機に係る識別子と、該識別子と対応する補正係数とからなる対応データを予めメモリに格納しておき、且つ受信中のデジタルオーディオ放送の送信機に係る第１の識別子をメモリに格納して、受信する放送がデジタルオーディオ放送から該ディジタルオーディオ放送と同一内容を放送しているＦＭ放送に切り替えられた時に、前記増幅度補正手段は、前記第１の識別子に対応する補正係数を前記対応データより検出し該補正係数に応じてＦＭオーディオ信号の増幅度を補正して、デジタルオーディオ放送とＦＭ放送との音響出力のレベル差を小さくしたオーディオ放送受信装置である。
【００１７】
本発明によれば、前記対応データを予め作成する際に、或るＤＡＢ送信機識別子に対応付けされる増幅度の補正量は、そのＤＡＢ送信機識別子を有するＤＡＢ送信機がある場所又は領域で放送されるＦＭ放送の変調度に応じて与えられ、変調度が小さい場合には増幅器の増幅度を大きくするように補正量が与えられる。そしてＤＡＢの受信状態が悪化したときなどに、受信放送を切り替えるべく前記対応データが参照される際には、受信したＦＭ放送の送信所が、受信したＤＡＢ放送の送信所と略同一の地域にあるものとして、受信したＤＡＢの送信機Ｉｄを基にして、そのＤＡＢ送信機識別子がある場所或いは領域で送信されるＦＭ放送局の変調度に応じた補正量が前記対応データから読み出され、この読み出された補正量に応じて増幅器の増幅度が補正される。従って、ＤＡＢから同一番組のＦＭ放送へ切り替えられたときにも、出力される音響レベルの差は小さなものとなる。
【００１８】
第２の発明は、デジタルオーディオ放送用の受信部とＦＭ放送用の受信部とオーディオ信号の増幅度を補正する増幅度補正手段とを備えたオーディオ放送受信装置において、デジタルオーディオ放送の各送信機に係る位置情報と、該位置情報と対応する補正係数とからなる対応データを予めメモリに格納しておき、且つ受信中のデジタルオーディオ放送の送信機に係る第１の位置情報をメモリに格納して、受信する放送がデジタルオーディオ放送から該ディジタルオーディオ放送と同一内容を放送しているＦＭ放送に切り替えられた時に、前記増幅度補正手段は、前記第１の位置情報に対応する補正係数を前記対応データより検出し該補正係数に応じてＦＭオーディオ信号の増幅度を補正して、デジタルオーディオ放送とＦＭ放送との音響出力のレベル差を小さくしたオーディオ放送受信装置である。
【００１９】
本発明によれば、前記対応データを予め作成する際に、対応データは、例えば或る受信場所の緯度、経度と増幅度の補正量とからなる対応データとして構成される。そしてその補正量は、その緯度、経度が含まれる領域にあるＦＭ放送の変調度に応じて与えられ、変調度が小さい場合には増幅器の増幅度を大きくするように補正量が与えられる。
そしてＤＡＢの受信状態が悪化したときなどに、受信放送を切り替えるべく前記対応データが参照される際には、受信するＦＭ放送の送信所が、受信したＤＡＢ放送の送信所と略同一の地域にあるものと推定して、ＦＭ放送を受信する際の補正量が前記第１の位置情報に応じて前記対応データから読み出され、該読み出された補正係数に応じて増幅器の増幅度が補正されるから、ＤＡＢからＦＭ放送へ切り替えられたときにも、出力される音響レベルの差は小さなものとなる。
【００２０】
第３の発明は、第２の発明において、デジタルオーディオ放送で送信される送信機識別信号（ＴＩＩ信号）から受信中のデジタルオーディオ放送の送信機識別子を得、デジタルオーディオ放送で送信される、各送信機識別子と該送信機識別子を有する送信機の場所又は地域とを示す送信場所情報から前記第１の位置情報を得るようにしたオーディオ放送受信装置である。
【００２１】
本発明によれば、予めメモリに記憶させる対応データとして、地域識別子又は地域名などの位置情報と補正係数（補正量）とからなる対応データが用いられる。前記地域名（地域識別子）はＦＭ放送の送信機がある地域、或いはＦＭ放送を受信する地域であり、その地域のＦＭ放送の変調度を予め調べて、その変調度に応じた補正係数又は補正量が地域ごとにメモリに格納される。ＦＭ放送の変調度が小さい場合には増幅器の増幅度を大きくするように補正係数又は補正量が与えられる。前記ＦＭ放送が行われている地域、或いはＦＭ放送の受信位置は、同じ位置で受信可能なＤＡＢ放送の送信機の位置情報から推定することになる。
【００２２】
第４の発明は、デジタルオーディオ放送用の受信部とＦＭ放送用の受信部とを備えたオーディオ放送受信装置の音量補正方法において、デジタルオーディオ放送の各送信機に係る識別子と、該識別子と対応する補正係数とからなる対応データを予めメモリに格納しておき、且つ受信中のデジタルオーディオ放送の送信機に係る第１の識別子をメモリに格納して、受信する放送がデジタルオーディオ放送から該ディジタルオーディオ放送と同一内容を放送しているＦＭ放送に切り替えられた時に、前記第１の識別子に対応する補正係数を前記対応データより検出し該補正係数に応じてＦＭオーディオ信号の増幅度を補正して、デジタルオーディオ放送とＦＭ放送との音響出力のレベル差を小さくしたオーディオ放送受信装置の音量補正方法である。
【００２３】
第５の発明は、デジタルオーディオ放送用の受信部とＦＭ放送用の受信部とを備えたオーディオ放送受信装置の音量補正方法において、デジタルオーディオ放送の各送信機に係る位置情報と、該位置情報と対応する補正係数とからなる対応データを予めメモリに格納しておき、且つ受信中のデジタルオーディオ放送の送信機に係る第１の位置情報をメモリに格納して、受信する放送がデジタルオーディオ放送から該ディジタルオーディオ放送と同一内容を放送しているＦＭ放送に切り替えられた時に、前記第１の位置情報に対応する補正係数を前記対応データより検出し該補正係数に応じてＦＭオーディオ信号の増幅度を補正して、デジタルオーディオ放送とＦＭ放送との音響出力のレベル差を小さくしたオーディオ放送受信装置の音量補正方法である。
【００２４】
第６の発明は、第５の発明において、デジタルオーディオ放送で送信される送信機識別信号（ＴＩＩ信号）から受信中のデジタルオーディオ放送の送信機識別子を得、デジタルオーディオ放送で送信される、各送信機識別子と該送信機識別子を有する送信機の場所又は地域とを示す送信場所情報から前記第１の位置情報を得るようにしたオーディオ放送受信装置の音量補正方法である。
【００２５】
【発明の実施の形態】
本発明によるオーディオ放送受信装置及びその音量補正方法は、デジタルオーディオ放送受信部と、ＲＤＳ復号部を有するＦＭ放送受信部と、オーディオ信号の増幅度を補正する増幅度補正手段とを備えたオーディオ放送受信装置において、デジタルオーディオ放送の各送信機に係る識別子と、増幅器の増幅度を補正するための補正係数とからなる対応データを予めメモリに格納しておき、且つ受信中のデジタルオーディオ放送の送信機に係る識別子を第１の識別子としてメモリに格納して、サイマルキャストを行っているデジタルオーディオ放送からＦＭ放送に切り替えられた時に、前記増幅度補正手段は、前記第１の識別子に対応する補正係数を前記対応データより検出し該補正係数に応じてＦＭオーディオ信号の増幅度を補正して、デジタルオーディオ放送とＦＭ放送との音響出力のレベル差を小さくするものである。本発明では、前記対応データにおける補正係数は、補正量を算出するための補正係数であっても、或いは補正量そのものであっても良く、実質的に同一である。
【００２６】
以下、本発明の実施の形態について図面を参照して説明する。
図２は本発明オーディオ放送受信装置の一例を示すブロック図である。ここではディジタルオーディオ放送はＤＡＢを例にして説明する。このＤＡＢシステムでは、変調方式としてＯＦＤＭ（直交周波数分割多重方式：Ｏｒｔｈｏｇｏｎａｌ  Ｆｒｅｑｕｅｎｃｙ  Ｄｉｖｉｓｉｏｎ  Ｍｕｌｔｉｐｌｅｘ）が採用されているものとして説明する。図２において、オーディオ放送受信装置１０はＦＭ放送受信部とディジタルオーディオ放送受信部と、受信したディジタルオーディオ放送又はＦＭ放送のいずれか一方を選択して出力するスイッチ３１とで構成され、スイッチ３１の出力は図示しないオーディオ増幅器で増幅され、その音響が図示しないスピーカから出力される。オーディオ放送受信装置１０全体の制御はマイクロプロセッサ（ＭＰＵ）３３により行われる。
【００２７】
ディジタルオーディオ放送とＦＭ放送で同一の番組を同時に放送する、所謂サイマルキャスト放送が行われている場合に、ディジタルオーディオ放送の受信状態が悪化したときに、ＦＭ放送が良好に受信できる状態であれば、受信する放送はディジタルオーディオ放送からＦＭ放送に切り替えられる。そして、ディジタルオーディオ放送の受信状態が改善されたときには、再度、受信する放送はＦＭ放送からディジタルオーディオ放送へ切り替えられる。
【００２８】
ＦＭ放送受信部は、ＲＦ信号の増幅と選局と中間周波信号（ＩＦ信号）の生成などを行うＦＭフロントエンド７、ＦＭ信号を復調するＦＭ検波器９、復調ＦＭ信号からＲＤＳ信号を復号してＤＡＢ放送との間のリンキング情報を得るためのＲＤＳ復号器１１、復号ＦＭ信号を増幅する増幅器１２で構成され、ＤＡＢ受信部はＤＡＢフロントエンド１３、アナログ／ディジタル変換器（Ａ／Ｄ）１５、ＯＦＤＭ復調器２１、チャンネルデコーダ２３、ＭＰＥＧデコーダ２７、ディジタル／アナログコンバータ（Ｄ／Ａ）２９で構成される。
ディジタルオーディオ放送の復号信号又はＦＭ放送の復調信号がスイッチ３１により選択され、出力される。前記増幅器１２は電子ボリュームを有し、増幅度が音量補正手段２５によって補正される。音量補正手段２５は実際にはＭＰＵ３３によって構成される。ＤＡＢ受信部については後で詳述する。
【００２９】
オーディオ放送受信装置１０での受信開始の指示やサーチ開始の指示はユーザから図示しない操作パネルを介してＭＰＵ３３に与えられる。又、必要に応じて図示しない表示装置で受信チャンネルやユーザへの警告などが表示される。
以下、図２、図３を用いてＤＡＢ受信部について説明する。ＤＡＢフロントエンド１３では、受信アンテナを介して特定周波数のＤＡＢ搬送波が受信され、信号処理され、ディジタル信号処理が可能な所定の中間周波数信号（ＩＦ信号）に変換されてアナログ／ディジタル変換器（Ａ／Ｄ変換器）１５に出力される。Ａ／Ｄ変換器１５ではアナログ信号がディジタル情報信号に変換され、Ｉ／Ｑ検波器１６に供給される。Ｉ／Ｑ検波器１６とＦＦＴ１７とＤＳＰ１８とでＯＦＤＭ復調器２１が構成されている。
【００３０】
Ｉ／Ｑ検波器１６では、後段でＯＦＤＭ信号が処理できるように、Ｉ信号とＱ信号とに分割されＦＦＴ１７に供給される。ＦＦＴ１７とＤＳＰ（ディジタル演算装置）１８によって高速フーリエ変換が行われ、チャンネルデコーダ２３に供給される。チャンネルデコーダ２３では、信号の順番を元の順に戻すデ・インターリーブ（ｄｅ−ｉｎｔｅｒｌｅａｖｉｎｇ）や、誤り符号の検出や訂正などが行われる。またマイクロプロセッサ（ＭＰＵ）３３では前記誤り符号の訂正と共に、符号誤り率の算出が行われ、符号誤り率が予め定めた所定値より大なる時には、復号動作と該復号で得られる復号信号との送出を停止するためのミュート補正信号がＤ／Ａ変換器２９に与えられる。チャンネルデコーダ２３については後でさらに説明する。
【００３１】
チャンネルデコーダ２３から圧縮されたオーディオ情報がＭＰＥＧデコーダ２７に供給され、ＭＰＥＧデコーダ２７では前記圧縮されたオーディオ情報が復号されて圧縮が解除され、ディジタル／アナログ変換器（Ｄ／Ａ変換器）２９でアナログ情報に変換され、スイッチ３１を介してアナログオーディオ信号として出力される。
【００３２】
図３はチャンネルデコーダにおける信号処理手順を示すフローチャートである。チャンネルデコーダ２３では、図２のＯＦＤＭ復調器２１から出力された復調ＯＦＤＭ信号が処理される。
図３において、まず、周波数軸上での誤りをランダム化するためになされた周波数インターリーブを解除して元に戻す周波数デ・インターリーブがステップＳ１４１で行われ、図６に示すＤＡＢ伝送フレームが得られる。
【００３３】
次に、前記ＦＩＣとＭＳＣとがステップＳ１４３で分離される。ステップＳ１４５ではＦＩＣのデータに対してビダビ復号が行われ、同時にステップＳ１４７で符号誤り率の算出が行われる。前記ステップＳ１４５とＳ１４７は実際にはＭＰＵ３３によってほぼ同時に行われ、符号誤り率が予め定めた所定値より大なる時には、ＭＰＥＧオーディオ信号の復号と該復号された信号の送出とを停止するためのミュート補正信号がＤ／Ａ変換器２９に与えられる。前記ステップＳ１４７での符号誤り率の算出は、ステップＳ１４５におけるビダビ復号によってエラー訂正されたデータと、エラー訂正前のデータとを比較することによって行われる。次にステップＳ１４９でスクランブルが解除され（デ・スクランブル）、ステップＳ１５１ではＣＲＣチェックが行われ、この信号からＦＩＣで伝送される高速情報グループ（ＦＩＧ：Ｆａｓｔ  Ｉｎｆｏｒｍａｔｉｏｎ  Ｇｒｏｕｐ）の情報が抽出される。
【００３４】
ステップＳ１５５では、複数のサブチャンネルのうち、ユーザが選局した番組に対応するサブチャンネルのデータが図２に示す番組指定信号に基づいて分離される。次に、ステップＳ１５７では、時間軸上での誤りをランダム化するためのタイムインターリーブを解除するタイム・デ・インターリーブが行われる。因みに、ＦＩＣに対してはタイム・デ・インターリーブは行われない。そして、ステップＳ１５９ではビダビ復号、ステップＳ６１ではデスクランブルが行われ、ＤＡＢオーディオフレーム（ＤＡＢ  Ａｕｄｉｏ  ｆｒａｍｅ）が図２のＭＰＥＧデコーダ２７に出力される。なお、ステップＳ１５９ではＦＩＣの場合と同様に畳み込み符号化されたデータに対する符号誤りの検出と訂正がビダビ復号により行われる。
【００３５】
前記したようにＤＡＢ伝送フレームの同期チャンネルの先頭にはヌルシンボルが配置され、該ヌルシンボルによって、送信機を特定するための送信機識別情報（ＴＩＩ：Ｔｒａｎｓｍｉｔｔｅｒ  Ｉｄｅｎｔｉｆｉｃａｔｉｏｎ  Ｉｎｆｏｒｍａｔｉｏｎ  ）が伝送される。前記ＴＩＩは、特に単一周波数ネットワーク（ＳＦＮ）において有効な情報を提供する。なお、ＮＵＬＬシンボルを検出するＮＵＬＬ検出手段及びヌルシンボルで伝送される送信機識別情報（ＴＩＩ）を検出するＴＩＩ検出手段は図示していないが、図２に示すＯＦＤＭ復調器２１内のＦＦＴ１７とＤＳＰ１８などで構成され。
【００３６】
前記ＴＩＩ信号は、ＯＦＤＭシンボルにおける一定数の隣接キャリア対から成っていて、ＴＩＩ信号を有するＴＩＩシンボルに実際にどの周波数のキャリアが存在するかによって、各送信機のＴＩＩが識別される。各送信機を識別する送信機識別子は、２つの数、即ちパターン番号ｐと櫛番号ｃとを個々の送信機に割り当てることによって定義される。前記パターン番号ｐは主識別子（ＭａｉｎＩｄ）であり、櫛番号ｃは副識別子（ＳｕｂＩｄ）である。
【００３７】
ＳＦＮでは、周辺の複数の送信機から、同一の放送内容が同時に放送され、使用される周波数も同一で或るが、前記ＴＩＩだけは異なっている。ＴＩＩを伝送するキャリアの周波数は隣接する送信機間で異なるようにマッピングされており、該ＴＩＩを伝送するキャリアの振幅計測と前記送信機識別子の特定は、ＦＦＴ１７の出力を用いてＤＳＰ１８により行われる。
【００３８】
図８はＤＡＢ伝送フレームにおける高速情報ブロック（ＦＩＢ）で伝送される高速情報グループ（ＦＩＧ）の一つを示し、タイプ０フィールド、拡張１１と呼ばれるＦＩＧ（以下、ＦＩＧ  ０／１１とも記す）のデータフィールドのみを示している。
ＦＩＧ  ０／１１は、送信機識別子（ＴＩＩ）と該ＴＩＩの送信機がある地域の地域識別子（Ｒｅｇｉｏｎ  Ｉｄ）とを関連付ける地域別送信機情報（地域別放送局情報）である。地域別送信機情報は、同図に示すように複数の地域識別情報（Ｒｅｇｉｏｎ  Ｉｄｅｎｔｉｆｉｃａｔｉｏｎ）を備えている。各地域識別情報（例えば  Ｒｅｇｉｏｎ  Ｉｄｅｎｔｉｆｉｃａｔｉｏｎ  ｋ）は、  ＧＡＴｙ  （Ｇｅｏｇｒａｐｈｉｃａｌ  Ａｒｅａ  Ｔｙｐｅ）、地域識別子（Ｒｅｇｉｏｎ    Ｉｄ）、Ｇｅｏｇｒａｐｈｉｃａｌ  Ａｒｅａ情報を備え、該Ｇｅｏｇｒａｐｈｉｃａｌ  Ａｒｅａ情報は複数のＴｒａｎｓｍｉｔｔｅｒ  Ｇｒｏｕｐを有している。各Ｔｒａｎｓｍｉｔｔｅｒ  Ｇｒｏｕｐ（例えば、Ｔｒａｎｓｍｉｔｔｅｒ  Ｇｒｏｕｐ  ｋ）は、Ｔｒａｎｓｍｉｔｔｅｒ    Ｇｒｏｕｐ  の主識別子（ＭａｉｎＩｄ）、ＳｕｂＩｄ    ｌｉｓｔの長さ、副識別子リスト（ＳｕｂＩｄ  ｌｉｓｔ）で構成され、ＳｕｂＩｄ    ｌｉｓｔ  には複数の送信機のサブ識別子（ＳｕｂＩｄ）が含まれている。前記Ｇａｔｙが０００１のときは、受信可能地域の情報として、受信可能地域の端点を示す２個所の緯度、経度が示され、前記Ｇａｔｙが００００のときは、受信可能地域の情報として、ＦＩＧ  ０／２２で示されるＴＩＩリストを用いて、間接的に緯度、経度が示される。
【００３９】
そして、ＦＩＧ  ０／１１のデータフィールドを参照することにより、Ｒｅｇｉｏｎ  Ｉｄで特定される地域に属する全送信機の（ＭａｉｎＩｄ＋ＳｕｂＩｄ）を得ることができる。従って、ヌルシンボルで伝送されるＴＩＩの主識別子（ＭａｉｎＩｄ）と副識別子（ＳｕｂＩｄ）が検出されると、その送信機の地域識別子Ｒｅｇｉｏｎ  Ｉｄ  を検出することができる。
前記したように、ＤＡＢ放送ではＤＡＢ放送信号のヌルシンボル情報から送信機のＭａｉｎＩｄとＳｕｂＩｄを認識できるようになっているから、ＤＡＢ信号を受信してそのヌルシンボル情報よりＤＡＢ信号送信機（ＤＡＢ放送局）のＭａｉｎＩｄとＳｕｂＩｄを認識し、しかる後、ＤＡＢ信号に含まれＦＩＧ  ０／１１のデータフィールドより前記認識したＭａｉｎＩｄとＳｕｂＩｄを有する地域識別子ＲｅｇｉｏｎＩｄを検出すれば、該検出された地域識別子Ｒｅｇｉｏｎ  Ｉｄは当該ＤＡＢ信号送信機が属する地域Ｒｅｇｉｏｎを示している。
【００４０】
図５はＤＡＢ伝送フレームにおける高速情報ブロック（ＦＩＢ）で伝送される高速情報グループ（ＦＩＧ）の一つを示し、タイプ０フィールド、拡張２２と呼ばれるＦＩＧ（以下、ＦＩＧ  ０／２２とも記す）のデータフィールドのみを示している。
ＦＩＧ  ０／２２は送信機別位置情報であり、各送信機識別子とその送信機のある場所を示す位置情報とのリストである。送信機識別子は、主識別子（ＭａｉｎＩｄ）と副識別子（ＳｕｂＩｄ）で構成され、位置情報は当該識別子を有する送信機がある場所の緯度情報と経度情報とで提供される。前記位置情報は、まず送信機のＭａｉｎＩｄに対して、参照値としての緯度情報（Ｌａｔｉｔｕｄｅ  ｃｏａｒｓｅ及びＬａｔｉｔｕｄｅ  ｆｉｎｅ）と経度情報（Ｌｏｎｇｉｔｕｄｅ  ｃｏａｒｓｅ及びＬｏｎｇｉｔｕｄｅ  ｆｉｎｅ）とで提供され、送信機のＳｕｂＩｄに対して、オフセット値としての緯度情報（Ｌａｔｉｔｕｄｅ  ｏｆｆｓｅｔ）と経度情報（Ｌｏｎｇｉｔｕｄｅ）とで提供される。従って、送信機の識別子がＴＩＩ信号から検出されると、当該送信機の緯度、経度が、ＭａｉｎＩｄの参照値にＳｕｂＩｄのオフセット値を加算又は減算することによって算出される。
【００４１】
図１は本発明オーディオ放送受信装置の音量補正方法における第１実施例を示すフローチャートであり、ＤＡＢ放送からＦＭ放送へ切り替えたときに、ＤＡＢ放送のＴＩＩから検出した送信機識別子に基づいて、音量補正手段２５によって増幅器１２の増幅度を補正する例である。この第１実施例では、予め各送信機の識別子と増幅器１２に対する補正係数（補正量）とからなる対応データをＭＰＵ３３のメモリに格納しておく。この場合、ＤＡＢ放送の送信機識別子に対応する場所又は地域にＦＭ放送の送信機があるものとして、そのＦＭ放送局の放送を受信した場合に、増幅器１２の増幅度を何デシベル補正するか、という対応データで補正量を与える。
前記補正係数は例えば１ｄｂ（デシベル）ステップで与え、最も変調度が大きいＦＭ放送に対する補正量を０ｄｂとして、それより変調度が小さいＦＭ放送に対してはプラス数ｄｂの補正量を与える。
【００４２】
図１において、ステップＳ１ではＮＵＬＬシンボルで伝送されるＴＩＩを検出しステップＳ２へ進む。このＴＩＩの検出は実際にはＤＡＢ放送からＦＭ放送へ切り替える前に行われる。ステップＳ２では、ＴＩＩが検出できたか？、と問われ、ＹｅｓであればステップＳ３へ進み、Ｎｏであれば本フローを終了する。ステップＳ３では、第１の送信機識別子を得てステップＳ４へ進む。前記第１の送信機識別子（Ｉｄ）とは、ＤＡＢ放送からＦＭ放送へ切り替える前に受信していたＤＡＢ放送の送信機Ｉｄである。もし、ＤＡＢからＦＭ放送へ切り替えた後もＤＡＢ受信部が動作を継続するように設計されたオーディオ放送受信装置の場合は、第１の送信機Ｉｄとして、ＤＡＢからＦＭ放送へ切り替えた後に検出した送信機Ｉｄを用いることも出来る。
【００４３】
ステップＳ４では、予めメモリに格納された対応データ中で、前記第１の送信機Ｉｄを検索し、ステップＳ５へ進む。ステップＳ５では、前記対応データから当該送信機Ｉｄに対応する補正係数を読み出し、ステップＳ６へ進む。ステップＳ６では、読み出した補正係数に基づいて、増幅器１２の増幅度を補正し、本フローを終了する。
図１に示す手順によれば、受信したＦＭ放送の送信所が受信したＤＡＢ放送の送信所と略同一の地域にあるものとして、ＤＡＢの送信機Ｉｄから増幅器の補正量が決められる。そして、予めＦＭ放送の変調度に応じて定められた補正係数によって、増幅器１２の増幅度が補正されるから、ＤＡＢからＦＭ放送へ切り替えられたときにも、出力される音響レベルの差は小さなものとなる。
【００４４】
図４は本発明オーディオ放送受信装置の音量補正方法における第２実施例を示すフローチャートであり、ＤＡＢ放送からＦＭ放送へ切り替えたときに、ＤＡＢ放送における送信機の位置情報に基づいて、音量補正手段２５によって増幅器１２の増幅度を補正するものである。前記送信機の位置情報は前記したＦＩＧ  ０／２２のデータにより提供される。
【００４５】
この第２実施例では、予めＦＭ放送の送信機があると思われる場所の緯度及び経度と増幅器１２に対する補正係数とからなる対応データをマトリクス状に定めてＭＰＵ３３のメモリに格納しておく。前記対応データの作成に際しては、ある範囲の緯度、経度が含まれる一つの領域に位置するＦＭ送信機を特定し、そのＦＭ放送を受信した場合に、増幅器１２の増幅度を何デシベル補正すべきであるか、という補正量として与える。そして、放送の切り替え時には、受信したＤＡＢ送信機識別子に対応する緯度、経度から、その緯度、経度が含まれる領域にあるＦＭ放送局を特定し、そのＦＭ放送局の変調度に応じた補正量を前記対応データから読み出すことになる。
前記補正係数は例えば１ｄｂステップで与えられ、最も変調度が大きいＦＭ放送に対する補正量を０ｄｂとして、それより変調度が小さいＦＭ放送に対してはプラス数ｄｂの補正量を与える。
【００４６】
図４において、ステップＳ１１では伝送フレームのＦＩＣで伝送されるＦＩＧ０／２２を抽出し、ＭＰＵ３３のメモリへ格納してステップＳ１３へ進む。前記ＦＩＧ  ０／２２の抽出とＴＩＩの検出が、実際にはＤＡＢ放送からＦＭ放送へ切り替える前に行われる。ステップＳ１３では、ＴＩＩが検出できたか？、と問われ、ＹｅｓであればステップＳ１５へ進み、Ｎｏであれば本フローを終了する。ステップＳ１５では、ＴＩＩ信号から第１の送信機識別子を得てステップＳ１７へ進む。前記第１の送信機識別子（Ｉｄ）とは、ＤＡＢ放送からＦＭ放送へ切り替える前に受信していたＤＡＢ放送の送信機Ｉｄである。もし、ＤＡＢからＦＭ放送へ切り替えた後もＤＡＢ受信部が動作を継続するように設計されたオーディオ放送受信装置の場合は、第１の送信機Ｉｄとして、ＤＡＢからＦＭ放送へ切り替えた後に検出した送信機Ｉｄを用いることも出来る。
【００４７】
ステップＳ１７ではメモリに格納したＦＩＧ  ０／２２のデータにある送信機リストで、前記第１の送信機Ｉｄを検索し、該送信機Ｉｄの送信機がある場所を示す第１の位置情報を得るために、ＦＩＧ  ０／２２のデータから送信機がある場所の緯度と経度を読み出し、ステップＳ１９へ進む。ステップＳ１９では、メモリに格納した対応データ中で、前記第１の位置情報の緯度、経度に該当するセルを検索して、ステップＳ２１へ進む。ステップＳ２１では、前記セルにある補正係数を読み出しステップＳ２３へ進む。ステップＳ２３では、前記読み出した補正係数に応じて、増幅器１２の増幅度を補正し、本フローを終了する。
図４に示す手順によれば、受信したＦＭ放送の送信所が受信したＤＡＢ放送の送信所と略同一の地域にあるものとして、ＤＡＢの送信機Ｉｄから、該ＤＡＢ送信機の場所を示す第１の位置情報を得る。そして、ＦＭ放送の送信機の位置ごとに予め定められている補正係数が、前記第１の位置情報に応じて読み出され、該読みだされた補正係数に応じて増幅器１２の増幅度が補正されるから、ＤＡＢからＦＭ放送へ切り替えられたときにも、出力される音響レベルの差は小さなものとなる。
【００４８】
本発明オーディオ放送受信装置の音量補正方法における第３実施例では、予めメモリに記憶させる対応データとして、地域識別子又は地域名などの位置情報と補正係数（補正量）とからなる対応データが用いられる。前記地域名（地域識別子）はＦＭ放送の送信機がある地域、或いはＦＭ放送を受信する地域であり、その地域のＦＭ放送の変調度を予め調べて、その変調度に応じた補正係数又は補正量が地域ごとにメモリに格納される。
前記ＦＭ放送が行われている地域、或いはＦＭ放送の受信位置は、同じ位置で受信可能なＤＡＢ放送の送信機の位置情報から推定することになる。具体的には、ＤＡＢで伝送される位置情報からＤＡＢ放送で伝送されるＴＩＩ信号からＤＡＢ送信機の識別子を検出し、該識別子を有する送信機がが属する地域の識別子（Ｒｅｇｉｏｎ  Ｉｄ）をＦＩＧ  ０／１１のデータから読み取ることにより、実現できる。ＦＩＧ  ０／１１については既に詳述したとおりであるが、この第３実施例はＦＩＧ  ０／１１が送信されている場合にのみ実施可能である。
なお、異なる場所にある複数の送信機から複数のＴＩＩを同時に受信した場合には、その複数の位置情報から現在の受信位置をより正確に算出することも可能である。この場合、ＴＩＩを伝送するキャリアの振幅は送信機と受信装置間の距離に概略反比例するものであることから、ユーザは受信している地域の地域名をより細かく推定することができる。そして、受信位置がより正確に推定できることにより、対応データからより的確な補正量を選択することが出来る。
【図面の簡単な説明】
【図１】本発明音量補正方法の第１実施例を示すフローチャートである。
【図２】本発明オーディオ放送受信装置の一例を示すブロック図である。
【図３】チャンネルデコーダにおける信号処理手順を示すフローチャートである。
【図４】本発明音量補正方法の第２実施例を示すフローチャートである。
【図５】高速情報チャンネルＦＩＣで伝送されるＦＩＧ０／２２のデータ構造を示す図である。
【図６】ＤＡＢシステムにおける伝送フレームの構成を示す図である。
【図７】従来例オーディオ放送受信装置における受信放送切り換え手順の一例を示すフローチャートである。
【図８】高速情報チャンネルＦＩＣで伝送されるＦＩＧ０／１１のデータ構造を示す図である。
【符号の説明】
７  ＦＭフロントエンド
９  ＦＭ検波器
１１  ＲＤＳ復号器
１２  増幅器
１３  ＤＡＢフロントエンド
１５  アナログ／ディジタル変換器（Ａ／Ｄ）
１６  Ｉ／Ｑ検波器
１７  ＦＦＴ
１８  ＤＳＰ
２１  ＯＦＤＭ復調器
２３  チャンネルデコーダ
２５  音量補正手段
２７  ＭＰＥＧデコーダ
２９  ディジタル／アナログ変換器（Ｄ／Ａ）
３１  スイッチ
３３  マイクロプロセッサ（ＭＰＵ）
【図１】
0003593304.tif 000002
【図２】
0003593304.tif 000003
【図３】
0003593304.tif 000004
【図４】
0003593304.tif 000005
【図５】
0003593304.tif 000006
【図６】
0003593304.tif 000007
【図７】
0003593304.tif 000008
【図８】
0003593304.tif 000009